【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
第１の側および第２の側を有するシース；第1の側でのシースの外部に結合された１つ以上のスラット構成要素、ここで１つ以上のスラット構成要素の各スラット構成要素は、内部開口部を含み；１つ以上のスラット構成要素の各スラット構成要素の内部開口部内に配置された１つ以上のストリップ、ここで１つ以上のスラット構成要素のうちの第１のスラット構成要素の１つ以上のストリップ長さを超えて延びる余剰材料は、第１のスラット構成要素の全幅が調整されるよう、内側に折り込まれ、そして第１のスラット構成要素の内部開口部内に挿入されており、ここで１つ以上のスラット構成要素の各々は、１つ以上の固定機構を利用して個別に取り外されそしてシェードに取り付けられている、を含むシェード。
【請求項２】
１つ以上のストリップのうちの２つのストリップが重なり合ってそして互いに結合しており、そしてここで重なり合う２つのストリップは、シェードの全体の幅を変更するために調整可能であり、そして２つのストリップは第１のスラット構成要素の内部開口部に固定されている、請求項１に記載のシェード。
【請求項３】
１つ以上の固定機構は、ストリング、ボタン、磁石、面ファスナー、またはジッパーの少なくとも一つを含む、請求項１に記載のシェード。
【請求項４】
シースを引き下げるとシェードが下がり、シースを押し上げるとシェードが上がる、請求項１に記載のシェード。
【請求項５】
１つ以上のストリップの１つ以上の第１のストリップは、第１のスラット構成要素の上部の内部開口部内に位置し、そして１つ以上のストリップの１つ以上の第２のストリップは、第１のスラット構成要素の底部の内部開口部内に位置する、請求項１に記載のシェード。
【請求項６】
第１のスラット構成要素は、１つ以上の内部留め具を含み、そして１つ以上の第１のストリップは、１つ以上の内部留め具に止まるように配置されている、請求項５に記載のシェード。
【請求項７】
固定機構の第１の部分は第１のスラット構成要素に取り付けられ、そして固定機構の第２の部分はシースに取り付けられ、ここで第１のスラット構成要素は、固定機構の第１の部分と固定機構の第２の部分との係合を介して、シースと結合されている、請求項１に記載のシェード。
【請求項８】
シースは隣接するシースに結合されており、そしてここで隣接するシースは１つ以上の隣接するスラット構成要素に結合されている、請求項１に記載のシェード。
【請求項９】
１つ以上のスラット構成要素は、隣接するシースに結合されている１つ以上の隣接するスラット構成要素に結合されている、請求項１に記載のシェード。
【請求項１０】
第１のスラット構成要素内に配置された第１のストリップは、隣接するシースに結合されている隣接するスラット構成要素内に配置された第２のストリップに結合されている、請求項１に記載のシェード。
【請求項１１】
第１のシースの第１の側および第１のシースの第２の側を有する第１のシース；
第１のシースの第１の側で第１のシースの外部に結合された少なくとも１つの第１のスラット構成要素、ここで少なくとも１つの第１のスラット構成要素は第１の内部開口部を含み；
少なくとも１つの第１のスラット構成要素の第１の内部開口部内に重なりそして配置された少なくとも２つの第１のストリップ、ここで少なくとも２つの第１のストリップの長さを超えて延びる少なくとも１つの第１のスラット構成要素の余剰材料は、少なくとも１つの第１のスラット構成要素の全幅を調整するため、内側に折り込まれ、そして少なくとも１つの第１のスラット構成要素の第１の内部開口部内に挿入されており；
第２のシースの第１の側および第２のシースの第２の側を有する第２のシース；
第２のシースの第１の側で第２のシースの外部に結合された少なくとも１つの第２のスラット構成要素、ここで少なくとも１つの第２のスラット構成要素は第２の内部開口部を含み；
少なくとも1つの第２のスラット構成要素の第２の内部開口部内に重なりそして配置された少なくとも２つの第２のストリップ、ここで少なくとも２つの第２のストリップの長さを超えて延びる少なくとも１つの第２のスラット構成要素の余剰材料は、少なくとも第２のスラット構成要素の全幅を調製するため、内側に折り込まれ、そして少なくとも１つの第２のスラット構成要素の第２の内部開口部内に挿入されており；
ここで少なくとも１つの第１のスラット構成要素および少なくとも１つの第２のスラット構成要素の各々は、１つ以上の固定機構を利用して、それぞれ第１のシースおよび第２のシースに個別に取り外されそして取り付けられるように構成されており、そして
ここで第１のシースが第２のシースに結合されている、少なくとも１つの第１のスラット構成要素が少なくとも１つの第２のスラット構成要素に結合されている、または少なくとも２つの第１のストリップが少なくとも２つの第２のストリップに結合されている、を含むシェード。
【請求項１２】
少なくとも１つのスラット構成要素は、ストリング、ボタン、磁石、面ファスナー、およびジッパーの１つを使用して第１のシースに結合されている、請求項１１に記載のシェード。
【請求項１３】
第１のシースおよび第２のシースの少なくとも１つを引き下げるとシェードが下がり、第１のシースおよび第２のシースの少なくとも１つを押し上げるとシェードが上がる、請求項１１に記載のシェード。
【請求項１４】
少なくとも２つの第１のストリップは、少なくとも１つの第１のスラット構成要素の上部の内部開口部分内に配置されている、請求項１１に記載のシェード。
【請求項１５】
第１のスラットは、１つ以上の内部留め具を含み、そして少なくとも２つの第１のストリップは、１つ以上の内部留め具に止まるよう配置されている、請求項１１に記載のシェード。
【請求項１６】
少なくとも２つの第１のストリップの少なくとも1つは湾曲している、請求項１１に記載のシェード。
【請求項１７】
結合機構の第１の部分は第１のシースに取り付けられ、そして結合機構の第２の部分は少なくとも１つの第１のスラット構成要素に取り付けられており、そしてここで少なくとも１つの第１のスラット構成要素は、結合機構の第１の部分と結合機構の第２の部分との係合を介して第１のシースに結合されている、請求項１１に記載のシェード。
【請求項１８】
第１のシースの第１の側および第１のシースの第２の側を有する第１のシース；
第１のシースの第１の側で第１のシースの外部に結合された少なくとも１つの第１のスラット構成要素、ここで少なくとも１つの第１のスラット構成要素は第１の内部開口部を含み；
少なくとも１つの第１のスラット構成要素の第１の内部開口部内に重なりそして配置された少なくとも２つの第１のストリップ、ここで少なくとも２つの第１のストリップの長さを超えて延びる少なくとも１つの第１のスラット構成要素の余剰材料は、少なくとも１つの第１のスラット構成要素の全幅を調整するため、内側に折り込まれ、そして少なくとも１つの第１のスラット構成要素の第１の内部開口部内に挿入されており；
第２のシースの第１の側および第２のシースの第２の側を有する第２のシース；
第２のシースの第１の側で第２のシースの外部に結合された少なくとも１つの第２のスラット構成要素、ここで少なくとも１つの第２のスラット構成要素は第２の内部開口部を含み；
少なくとも１つの第２のスラット構成要素の第２の内部開口部内に重なりそして配置された少なくとも２つの第２のストリップ、ここで少なくとも２つの第２のストリップの長さを超えて延びる少なくとも１つの第２のスラット構成要素の余剰材料は、少なくとも第２のスラット構成要素の全幅を調整するため、内側に折り込まれ、そして少なくとも１つの第２のスラット構成要素の第２の内部開口部内に挿入されており；
ここで少なくとも１つの第１のスラット構成要素および少なくとも１つの第２のスラット構成要素の各々は、１つ以上の固定機構を利用して、それぞれ第１のシースおよび第２のシースに個別に取り外されそして取り付けられるように構成されており、そして
ここで少なくとも２つの第１のストリップは、少なくとも２つの第２のストリップに結合されている、を含むシェード。
【請求項１９】
第１のシースおよび第２のシースの少なくとも１つを引き下げるとシェードが下がり、第１のシースおよび第２のシースの少なくとも１つを押し上げるとシェードが上がる、請求項１に記載のシェード。